(57)【要約】【課題】デジタルフォトフレームなどの画像表示装置において、複数の画像を切り替えて表示する際に、面白味のある切替処理を行う。【解決手段】表示中の画像Ａ上のランダムな位置あるいはユーザ任意の位置に切替基準線Ｌstが設定表示されると、当該切替基準線Ｌstに沿った画像Ａの部分画像が取得され、画像記憶領域に記憶されている他の各画像の中から、前記画像Ａの部分画像と同じ位置で最も類似度の高い画像Ｂが検索されて切替対象に設定される。そして、表示中の画像Ａが、切替基準線Ｌstから直交する方向に広がるように、切替対象の画像Ｂに書き換えられて表示される。このため、ユーザに対して、画像の切り替わりの最初は、画像の変化を極めて少なく、あるいは全く無く感じさせることができ、飽きの来ない面白味を持たせることができる。【選択図】      図４
2012074899.tif 000002
【特許請求の範囲】
【請求項１】
複数の画像を記憶する画像記憶手段と、
この画像記憶手段により記憶された画像を表示部に表示させる画像表示手段と、
この画像表示手段により表示部に表示された画像の一部を指定する画像指定手段と、
この画像指定手段により指定された画像の一部に対応する部分画像を取得する部分画像取得手段と、
この部分画像取得手段により取得された部分画像と同じ位置で類似する部分画像を有する他の画像を前記画像記憶手段により記憶された複数の画像の中から検索する画像検索手段と、
前記表示部に表示された画像を、前記画像指定手段により指定された当該画像の一部から広がるように、前記画像検索手段により検索された画像に置き換えて表示させる画像切替表示手段と、
を備えたことを特徴とする画像表示装置。
【請求項２】
前記画像指定手段は、前記画像表示手段により表示部に表示された画像の一部を直線として指定し、
前記部分画像取得手段は、前記画像指定手段により指定された画像の直線に沿った一定範囲の部分画像を取得し、
前記画像切替表示手段は、前記表示部に表示された画像を、前記画像指定手段により指定された当該画像の直線から広がるように、前記画像検索手段により検索された画像に置き換えて表示させる、
ことを特徴とする請求項１に記載の画像表示装置。
【請求項３】
前記画像指定手段は、前記画像表示手段により表示部に表示された画像の一部を点として指定し、
前記部分画像取得手段は、前記画像指定手段により指定された画像の点を中心とする一定範囲の部分画像を取得し、
前記画像切替表示手段は、前記表示部に表示された画像を、前記画像指定手段により指定された当該画像の点から広がるように、前記画像検索手段により検索された画像に置き換えて表示させる、
ことを特徴とする請求項１に記載の画像表示装置。
【請求項４】
前記表示部は、タッチパネル式表示部であって、
前記画像指定手段は、前記画像表示手段によりタッチパネル式表示部に表示された画像の一部を当該タッチパネルに対するユーザ操作に応じて指定する、
ことを特徴とする請求項１ないし請求項３の何れか１項に記載の画像表示装置。
【請求項５】
予め設定された時間の経過を判断する経時判断手段を備え、
前記画像指定手段は、前記経時判断手段により予め設定された時間の経過が判断された際に、前記画像表示手段により表示部に表示された画像の一部を指定する、
ことを特徴とする請求項１ないし請求項３の何れか１項に記載の画像表示装置。
【請求項６】
複数の画像を記憶する画像記憶部と表示部を備えた電子機器のコンピュータを制御するためのプログラムであって、
前記コンピュータを、
画像記憶部に記憶された画像を表示部に表示させる画像表示手段、
この画像表示手段により表示部に表示された画像の一部を指定する画像指定手段、
この画像指定手段により指定された画像の一部に対応する部分画像を取得する部分画像取得手段、
この部分画像取得手段により取得された部分画像と同じ位置で類似する部分画像を有する他の画像を前記画像記憶部に記憶された複数の画像の中から検索する画像検索手段、
前記表示部に表示された画像を、前記画像指定手段により指定された当該画像の一部から広がるように、前記画像検索手段により検索された画像に置き換えて表示させる画像切替表示手段、
として機能させるためのプログラム。
【発明の詳細な説明】
【技術分野】
【０００１】
本発明は、複数の画像を切り替えて表示するデジタルフォトフレームなどの画像表示装置およびその制御プログラムに関する。
【背景技術】
【０００２】
近年、デジタルフォトフレームが実用化され一般家庭をはじめ様々な場所で利用されている。デジタルフォトフレームは、メモリに記憶させた写真画像などの複数の画像を容易に切り替えて高画質で表示させることができるため、絵画に代わるインテリアとしての利用も高まっている。
【０００３】
複数の写真画像を、その撮影日に応じた加工を施し、順次切り替えて表示させるスライドショウの機能を備えたデジタルフォトフレームが考えられている（例えば、特許文献１参照。）。
【先行技術文献】
【特許文献】
【０００４】
【特許文献１】特開２００９−１４１６７８号公報
【発明の概要】
【発明が解決しようとする課題】
【０００５】
前記従来のデジタルフォトフレームでは、複数の画像が、メモリに記憶された順番や撮影日付の順番、ランダムに選択された順番等に従い順次切り替えられて表示されるが、これによる画像の切替処理は、従来からのスライドショウ機能にあるもので、面白味に欠けている。
【０００６】
本発明は、このような課題に鑑みなされたもので、複数の画像を切り替えて表示する際に、面白味のある切替処理を行うことが可能になる画像表示装置およびその制御プログラムを提供することを目的とする。
【課題を解決するための手段】
【０００７】
請求項１に記載の画像表示装置は、複数の画像を記憶する画像記憶手段と、この画像記憶手段により記憶された画像を表示部に表示させる画像表示手段と、この画像表示手段により表示部に表示された画像の一部を指定する画像指定手段と、この画像指定手段により指定された画像の一部に対応する部分画像を取得する部分画像取得手段と、この部分画像取得手段により取得された部分画像と同じ位置で類似する部分画像を有する他の画像を前記画像記憶手段により記憶された複数の画像の中から検索する画像検索手段と、前記表示部に表示された画像を、前記画像指定手段により指定された当該画像の一部から広がるように、前記画像検索手段により検索された画像に置き換えて表示させる画像切替表示手段と、を備えたことを特徴としている。
【０００８】
請求項２に記載の画像表示装置は、前記請求項１に記載の画像表示装置において、前記画像指定手段は、前記画像表示手段により表示部に表示された画像の一部を直線として指定し、前記部分画像取得手段は、前記画像指定手段により指定された画像の直線に沿った一定範囲の部分画像を取得し、前記画像切替表示手段は、前記表示部に表示された画像を、前記画像指定手段により指定された当該画像の直線から広がるように、前記画像検索手段により検索された画像に置き換えて表示させる、ことを特徴としている。
【０００９】
請求項３に記載の画像表示装置は、前記請求項１に記載の画像表示装置において、前記画像指定手段は、前記画像表示手段により表示部に表示された画像の一部を点として指定し、前記部分画像取得手段は、前記画像指定手段により指定された画像の点を中心とする一定範囲の部分画像を取得し、前記画像切替表示手段は、前記表示部に表示された画像を、前記画像指定手段により指定された当該画像の点から広がるように、前記画像検索手段により検索された画像に置き換えて表示させる、ことを特徴としている。
【００１０】
請求項４に記載の画像表示装置は、前記請求項１ないし請求項３の何れか１項に記載の画像表示装置において、前記表示部は、タッチパネル式表示部であって、前記画像指定手段は、前記画像表示手段によりタッチパネル式表示部に表示された画像の一部を当該タッチパネルに対するユーザ操作に応じて指定する、ことを特徴としている。
【００１１】
請求項５に記載の画像表示装置は、前記請求項１ないし請求項３の何れか１項に記載の画像表示装置において、予め設定された時間の経過を判断する経時判断手段を備え、前記画像指定手段は、前記経時判断手段により予め設定された時間の経過が判断された際に、前記画像表示手段により表示部に表示された画像の一部を指定する、ことを特徴としている。
【００１２】
請求項６に記載のプログラムは、複数の画像を記憶する画像記憶部と表示部を備えた電子機器のコンピュータを制御するためのプログラムであって、前記コンピュータを、画像記憶部に記憶された画像を表示部に表示させる画像表示手段、この画像表示手段により表示部に表示された画像の一部を指定する画像指定手段、この画像指定手段により指定された画像の一部に対応する部分画像を取得する部分画像取得手段、この部分画像取得手段により取得された部分画像と同じ位置で類似する部分画像を有する他の画像を前記画像記憶部に記憶された複数の画像の中から検索する画像検索手段、前記表示部に表示された画像を、前記画像指定手段により指定された当該画像の一部から広がるように、前記画像検索手段により検索された画像に置き換えて表示させる画像切替表示手段、として機能させることを特徴としている。
【発明の効果】
【００１３】
本発明によれば、複数の画像を切り替えて表示する際に、面白味のある切替処理を行うことが可能になる画像表示装置およびその制御プログラムを提供できる。
【図面の簡単な説明】
【００１４】
【図１】本発明の画像表示装置の実施形態に係るデジタルフォトフレーム１０の外観構成を示す図であり、同図（Ａ）はその正面図、同図（Ｂ）はその側面図。
【図２】前記デジタルフォトフレーム１０の電子回路の構成を示すブロック図。
【図３】前記デジタルフォトフレーム１０の第１実施形態の画像表示処理（１）を示すフローチャート。
【図４】前記デジタルフォトフレーム１０の第１実施形態の画像表示処理（１）に伴う一連の画像表示動作を示す図。
【図５】前記デジタルフォトフレーム１０の第２実施形態の画像表示処理（２）を示すフローチャート。
【図６】前記デジタルフォトフレーム１０の第２実施形態の画像表示処理（２）に伴う一連の画像表示動作を示す図。
【発明を実施するための形態】
【００１５】
以下図面により本発明の実施の形態について説明する。
【００１６】
図１は、本発明の画像表示装置の実施形態に係るデジタルフォトフレーム１０の外観構成を示す図であり、同図（Ａ）はその正面図、同図（Ｂ）はその側面図である。
【００１７】
このデジタルフォトフレーム１０は、そのフレーム内の正面中央に、例えば７インチのタッチパネル式表示部１１を備える。
【００１８】
このタッチパネル式表示部１１は、高精細カラー液晶表示画面１１ｄの上に透明タブレット１１ｔを重ねて構成され、表示画面１１ｄに表示された画像上でのユーザのタッチ操作に応じた指定位置は、透明タブレット１１ｔにより検出される。
【００１９】
一方、デジタルフォトフレーム１０の裏面には、電源のＯＮ／ＯＦＦ、動作メニューの表示等を指示するためのキー操作部１２、フレーム本体を設置面に支持するための支持脚１３が設けられ、また側面には、デジタルカメラにより撮影された画像など、複数の画像データを記憶させた図示しないメモリカード（フラッシュメモリ）を装着するためのカードスロット１４が設けられる。
【００２０】
図２は、前記デジタルフォトフレーム１０の電子回路の構成を示すブロック図である。
【００２１】
このデジタルフォトフレーム１０は、コンピュータであるＣＰＵ(Central Processing Unit)２１を備えている。
【００２２】
このＣＰＵ２１には、前記タッチパネル式表示部１１、キー操作部１２、カードスロット１４に装着されたメモリカード内のデータを読み取るカードＩＦ（インターフェイス）１４Ｃの他に、記憶装置２２、ＲＡＭ２３が接続される。
【００２３】
前記ＣＰＵ２１は、前記記憶装置２２に予め記憶された制御プログラム２２ａ、あるいはＣＤ−ＲＯＭ、メモリカードなどの記録媒体から記憶装置２２に読み込まれた制御プログラム２２ａ、あるいは通信ネットワーク上のプログラムサーバからダウンロードされて記憶装置２２に読み込まれた制御プログラム２２ａに従い、ＲＡＭ２３を作業領域として回路各部の動作を制御する。
【００２４】
前記記憶装置２２には、画像記憶領域２２ｂが確保され、前記メモリカードからカードＩＦ１４Ｃを介して読み込まれた多種多様な画像データが記憶される。
【００２５】
前記ＲＡＭ２３には、表示画像記憶領域２３ａ、切替時間記憶領域２３ｂ、切替基準位置記憶領域２３ｃ、切替基準画像記憶領域２３ｄ、類似度判定記憶領域２３ｅなどが確保される。
【００２６】
前記表示画像記憶領域２３ａは、前記タッチパネル式表示部１１に表示させる画像データの表示バッファとして機能し、前記記憶装置２２の画像記憶領域２２ｂから表示対象として読み出された画像データが記憶される。
【００２７】
前記切替時間記憶領域２３ｂには、前記タッチパネル式表示部１１に表示させる画像データの１回の表示に伴う切替時間が、予め設定されるかまたはユーザ任意に設定された時間として記憶される。
【００２８】
前記切替基準位置記憶領域２３ｃには、前記タッチパネル式表示部１１に表示された画像上でランダムに指定されるか、ユーザ操作に応じて指定された線または点の位置データが、画像の切替基準位置として記憶される。
【００２９】
前記切替基準画像記憶領域２３ｄには、前記切替基準位置記憶領域２３ｃに記憶された線または点の位置データに対応して、表示中の画像データから抽出された一定範囲の部分画像データが、切替基準画像として記憶される。
【００３０】
前記類似度判定記憶領域２３ｅには、前記切替基準位置記憶領域２３ｃに記憶された画像の切替基準位置（線または点の位置データ）と、前記切替基準画像記憶領域２３ｄに記憶された表示中の画像データの切替基準画像（部分画像データ）とに基づいて、前記記憶装置２２の画像記憶領域２２ｂに記憶されている表示中以外の各画像データとの間で類似度を算出した各類似度データが記憶される。
【００３１】
なお、このデジタルフォトフレーム１０において、ＣＰＵ２１が、記憶部２２に記憶される制御プログラム２２ａに従い回路各部の動作を制御し、ハードウエアとソフトウエアが協働することにより実行される機能としては、少なくとも次の５つの機能(1)〜(5)が含まれる。
【００３２】
(1) 設定された切替時間の経過またはユーザ操作に応じて、表示中の画像上に線または点を設定する機能。
【００３３】
(2) 前記(1)の機能の実行に伴い、表示中の画像上に設定された線または点に対応した一定範囲の部分画像データを取得する機能。
【００３４】
(3) 前記(2)の機能の実行に伴い取得された表示中の画像上の一定範囲の部分画像データに基づいて、他の画像上の同じ範囲の部分画像データとの類似度を算出する機能。
【００３５】
(4) 前記(3)の機能の実行に伴い算出された類似度の最も高い他の画像を切替対象の画像として設定する機能。
【００３６】
(5) 表示中の画像を、前記(1)の機能の実行に伴い設定された線または点の位置から広がるように、前記(4)の機能の実行に伴い設定された切替対象の画像に書き換えて表示させる機能。
【００３７】
次に、前記構成のデジタルフォトフレーム１０による画像表示動作について説明する。
【００３８】
（第１実施形態）
図３は、前記デジタルフォトフレーム１０の第１実施形態の画像表示処理（１）を示すフローチャートである。
【００３９】
図４は、前記デジタルフォトフレーム１０の第１実施形態の画像表示処理（１）に伴う一連の画像表示動作を示す図である。
【００４０】
キー操作部１２のユーザ操作に応じてタッチパネル式表示部１１に表示されたメニュー画面において、画像表示の開始が指示されると、記憶装置２２の画像記憶領域２２ｂから、例えば撮影年月日順で記憶されている最初の画像データが読み出される。そして、前記画像記憶領域２２ｂから読み出された画像データは表示画像記憶領域２３ａに書き込まれ、図４（Ａ）に示すように画像Ａとしてタッチパネル式表示部１１に表示される（ステップＳ１）。
【００４１】
この後、切替時間記憶領域２３ｂに記憶されている切替時間が経過したと判断されると（ステップＳ２（Ｙｅｓ））、表示中の画像Ａ上のランダムな位置に、切替基準線Ｌstが設定されて表示される（ステップＳ３）。この際、前記画像Ａ上での切替基準線Ｌstの位置データが切替基準位置記憶領域２３ｃに記憶される。
【００４２】
そして、前記記憶された画像Ａ上での切替基準線Ｌstの位置データに基づき、当該画像Ａにおける切替基準線Ｌstに沿った幅方向一定範囲の部分画像データが取得され、切替基準画像記憶領域２３ｄに記憶される（ステップＳ４）。
【００４３】
すると、前記画像記憶領域２２ｂに記憶されている他の画像データの各々を対象に、当該各画像の前記切替基準線Ｌstと同じ位置での前記部分画像データとの類似度が算出され、順次、類似度判定記憶領域２３ｅに記憶される（ステップＳ５）。
【００４４】
すると、前記類似度判定記憶領域２３ｅに記憶された他の各画像データの類似度に基づき、最も高い類似度の画像データが判定され、切替対象の画像Ｂとして設定される（ステップＳ６）。
【００４５】
すると、前記切替対象の画像Ｂが前記画像記憶領域２２ｂから読み出され、図４（Ｂ）の矢印Ｒｅおよび図４（Ｃ）に示すように、表示中の画像Ａが、当該画像Ａ上に設定された切替基準線Ｌstから直交する方向に広がるように、切替対象の画像Ｂに書き換えられて表示される（ステップＳ７）。
【００４６】
この際、先の画像Ａの切替基準線Ｌstに沿った部分画像データとその同じ位置で類似度の最も高い部分画像データを有する画像Ｂが切替対象に設定されるので、当該画像Ａから画像Ｂへの切り替わりの最初は、ユーザにとって画像の変化が極めて少なく感じられ、場合によってはその変化に気付かないものの、この後は次第に画像Ｂへの切り替わりが明瞭になり、画像の切り替わりに飽きの来ない面白味を持たせることができる。
【００４７】
この後、前記切替時間記憶領域２３ｂに記憶された切替時間が経過する毎に、前記同様の画像切替処理が繰り返し実行される（ステップＳ２〜Ｓ７）。
【００４８】
なお、前記画像Ａが表示された後の切替時間が経過しないときに（ステップＳ２（Ｎｏ））、当該画像Ａ上でのユーザのタッチ操作（またはキー操作部１２のキー操作）に応じて（ステップＳ８（Ｙｅｓ））、図４（Ａ）で示したように切替基準線Ｌstが設定表示された場合でも（ステップＳ９）、前記ステップＳ４〜Ｓ７での画像切替処理が同様に実行され、図４（Ｂ）の矢印Ｒｅおよび図４（Ｃ）に示すように、表示中の画像Ａが、当該画像Ａ上に設定された切替基準線Ｌstから直交する方向に広がるように、切替対象の画像Ｂに書き換えられて表示される。
【００４９】
したがって、前記構成のデジタルフォトフレーム１０の第１実施形態の画像切替表示機能によれば、表示中の画像Ａ上のランダムな位置あるいはユーザ任意の位置に切替基準線Ｌstが設定表示されると、当該切替基準線Ｌstに沿った画像Ａの部分画像が取得され、画像記憶領域２２ｂに記憶されている他の各画像の中から、前記画像Ａの部分画像と同じ位置で最も類似度の高い画像Ｂが検索されて切替対象に設定される。そして、表示中の画像Ａが、切替基準線Ｌstから直交する方向に広がるように、切替対象の画像Ｂに書き換えられて表示される。
【００５０】
このため、ユーザに対して、画像の切り替わりの最初は、画像の変化を極めて少なく、あるいは全く無く感じさせることができ、複数の画像を切り替えて表示する際に、飽きの来ない面白味を持たせることができる。
【００５１】
（第２実施形態）
図５は、前記デジタルフォトフレーム１０の第２実施形態の画像表示処理（２）を示すフローチャートである。
【００５２】
図６は、前記デジタルフォトフレーム１０の第２実施形態の画像表示処理（２）に伴う一連の画像表示動作を示す図である。
【００５３】
キー操作部１２のユーザ操作に応じてタッチパネル式表示部１１に表示されたメニュー画面において、画像表示の開始が指示されると、記憶装置２２の画像記憶領域２２ｂから、例えば撮影年月日順で記憶されている最初の画像データが読み出される。そして、前記画像記憶領域２２ｂから読み出された画像データは表示画像記憶領域２３ａに書き込まれ、図６（Ａ）に示すように画像Ａとしてタッチパネル式表示部１１に表示される（ステップＴ１）。
【００５４】
この後、切替時間記憶領域２３ｂに記憶されている切替時間が経過したと判断されると（ステップＴ２（Ｙｅｓ））、表示中の画像Ａ上のランダムな位置に、切替基準点Ｐstが設定されて表示される（ステップＴ３）。この際、前記画像Ａ上での切替基準点Ｐstの位置データが切替基準位置記憶領域２３ｃに記憶される。
【００５５】
そして、前記記憶された画像Ａ上での切替基準点Ｐstの位置データに基づき、当該画像Ａにおける切替基準点Ｐstを中心とした円形や矩形その他の形状からなる一定範囲の部分画像データが取得され、切替基準画像記憶領域２３ｄに記憶される（ステップＴ４）。
【００５６】
すると、前記画像記憶領域２２ｂに記憶されている他の画像データの各々を対象に、当該各画像の前記切替基準点Ｐstと同じ位置での前記部分画像データとの類似度が算出され、順次、類似度判定記憶領域２３ｅに記憶される（ステップＴ５）。
【００５７】
すると、前記類似度判定記憶領域２３ｅに記憶された他の各画像データの類似度に基づき、最も高い類似度の画像データが判定され、切替対象の画像Ｂとして設定される（ステップＴ６）。
【００５８】
すると、前記切替対象の画像Ｂが前記画像記憶領域２２ｂから読み出され、図６（Ｂ）の矢印Ｒａおよび図６（Ｃ）に示すように、表示中の画像Ａが、当該画像Ａ上に設定された切替基準点Ｐstを中心に放射方向に広がるように、切替対象の画像Ｂに書き換えられて表示される（ステップＴ７）。つまり、円形の範囲で最も類似する画像が選ばれたときには、その円が広がるように、矩形の範囲で最も類似する画像が選ばれたときには、その矩形が拡大するようにして画像が書き替えられるようにする。
【００５９】
この際、先の画像Ａの切替基準点Ｐstに対応した部分画像データとその同じ位置で類似度の最も高い部分画像データを有する画像Ｂが切替対象に設定されるので、当該画像Ａから画像Ｂへの切り替わりの最初は、ユーザにとって画像の変化が極めて少なく感じられ、場合によってはその変化に気付かないものの、この後は次第に画像Ｂへの切り替わりが明瞭になり、画像の切り替わりに飽きの来ない面白味を持たせることができる。
【００６０】
この後、前記切替時間記憶領域２３ｂに記憶された切替時間が経過する毎に、前記同様の画像切替処理が繰り返し実行される（ステップＴ２〜Ｔ７）。
【００６１】
なお、前記画像Ａが表示された後の切替時間が経過しないときに（ステップＴ２（Ｎｏ））、当該画像Ａ上でのユーザのタッチ操作（またはキー操作部１２のキー操作）に応じて（ステップＴ８（Ｙｅｓ））、図６（Ａ）で示したように切替基準点Ｐstが設定表示された場合でも（ステップＴ９）、前記ステップＴ４〜Ｔ７での画像切替処理が同様に実行され、図６（Ｂ）の矢印Ｒａおよび図６（Ｃ）に示すように、表示中の画像Ａが、当該画像Ａ上に設定された切替基準点Ｐstから放射方向に広がるように、切替対象の画像Ｂに書き換えられて表示される。
【００６２】
したがって、前記構成のデジタルフォトフレーム１０の第２実施形態の画像切替表示機能によれば、表示中の画像Ａ上のランダムな位置あるいはユーザ任意の位置に切替基準点Ｐstが設定表示されると、当該切替基準点Ｐstを中心とする一定範囲の画像Ａの部分画像が取得され、画像記憶領域２２ｂに記憶されている他の各画像の中から、前記画像Ａの部分画像と同じ位置で最も類似度の高い画像Ｂが検索されて切替対象に設定される。そして、表示中の画像Ａが、切替基準点Ｐstから放射方向に広がるように、切替対象の画像Ｂに書き換えられて表示される。
【００６３】
このため、前記第１実施形態の画像切替処理と同様に、ユーザに対して、画像の切り替わりの最初は、画像の変化を極めて少なく、あるいは全く無く感じさせることができ、複数の画像を切り替えて表示する際に、飽きの来ない面白味を持たせることができる。
【００６４】
なお、前記各実施形態において記載したデジタルフォトフレーム１０による各処理の手法、すなわち、図３のフローチャートに示す第１実施形態の画像表示処理、図５のフローチャートに示す第２実施形態の画像表示処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の記録媒体に格納して配布することができる。そして、複数の画像データを取り込み可能な表示端末（１０）のコンピュータ（ＣＰＵ２１）は、この記録媒体に記憶されたプログラムを記憶装置（２２）に読み込み、この読み込んだプログラムによって動作が制御されることにより、前記各実施形態において説明した画像切替表示機能を実現し、前述した手法による同様の処理を実行することができる。
【００６５】
また、前記各手法を実現するためのプログラムのデータは、プログラムコードの形態として通信ネットワーク上を伝送させることができ、この通信ネットワークに接続されたコンピュータ装置（プログラムサーバ）から前記のプログラムデータを取り込んで記憶装置（２２）に記憶させ、前述した画像切替表示機能を実現することもできる。
【００６６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００６７】
１０  …デジタルフォトフレーム（画像表示装置）
１１  …タッチパネル式表示部
１１ｄ…高精細カラー液晶表示画面
１１ｔ…透明タブレット
１２  …キー操作部
１３  …支持脚
１４  …カードスロット
１４Ｃ…カードＩＦ（インターフェイス）
２１  …ＣＰＵ
２２  …記憶装置
２２ａ…制御プログラム
２２ｂ…画像記憶領域
２３  …ＲＡＭ
２３ａ…表示画像記憶領域
２３ｂ…切替時間記憶領域
２３ｃ…切替基準位置記憶領域
２３ｄ…切替基準画像記憶領域
２３ｅ…類似度判定記憶領域
Ａ    …画像［Ａ］
Ｂ    …画像［Ｂ］
Ｌst  …切替基準線
Ｐst  …切替基準点
【図１】
2012074899.tif 000003
【図２】
2012074899.tif 000004
【図３】
2012074899.tif 000005
【図４】
2012074899.tif 000006
【図５】
2012074899.tif 000007
【図６】
2012074899.tif 000008